(57)【要約】      （修正有）【課題】特定の場所から湧き出る霊水をありがたく頂くことが出来るペットボトルおよびペットボトル携帯用袋を提供する。【解決手段】霊水を入れたペットボトルの表面にお守りを印刷などで形成する。又はペットボトルを収容する携帯用袋１０の表面にお守り１１を取付ける。【選択図】図３
0003206280.tif 000002
【実用新案登録請求の範囲】
【請求項１】
霊水、お酒、ワインなどを入れるボトルにおいて、その表面にお守りを形成したことを特徴とするボトル。
【請求項２】
上記お守りを表面に直接印刷にて形成した請求項１記載のボトル。
【請求項３】
上記お守りを印刷したシールをボトル表面に貼着した請求項１記載のボトル。
【請求項４】
霊水、お酒、ワインなどを入れたボトルを収容して携帯する袋において、該袋の表面にお守りを取付けたことを特徴とするボトル携帯用袋。
【請求項５】
上記袋は西陣織などの着物生地を用いて縫製した請求項４記載のボトル携帯用袋。
【考案の詳細な説明】
【技術分野】
【０００１】
本考案は飲料水や酒、ワインなどを入れたボトル及び該ボトルを収容する袋を対象とし、これにお守りを付けたものに関する。
【背景技術】
【０００２】
今日、各種の飲料水が販売されているが、これら飲料水は一般にポリエチレンテレフタレート製の容器であるペットボトルが多用されている。この市販の飲料水をそのままで水筒代わりのように携帯して使用することも出来るが、袋に入れて携帯する場合もある。
該ペットボトル自体には断熱効果が殆どない為に、冷たい飲料水は温かくなり、暖かい飲料水は冷たく成ってしまう。これを解消する為に断熱機能を備えた袋に入れて携帯する場合も多い。
【０００３】
例えば、実開平５−７２７１４号に係る「ぺットボトル専用収納保冷ボックス」は、ペットボトルを収納可能で、その収納した状態でペットボトルの飲料水を飲むことができる。すなわち、収納ボックス本体の内径が大型飲料容器の外径と略同寸に形成され、且つ該収納ボックス本体には大型飲料容器の首部が突出すべく開口部を有する中蓋が着脱自在に設けられている。
【０００４】
また、特開平７−２１５３７５号に係る「断熱袋」は、使用勝手がよくかつ断熱効果に優れた断熱袋である。保冷専用袋は、袋状部と折り曲げカバー部よりなり、袋状部は複数の積層構造よりなる前面シート及び後面シートよりなり、その内部には、一対の断熱材が挿入自在とされる。そして、前面シートの上部にはペットボトルの口部を取出すための切れ目が形成されている。
【０００５】
ところで、日本の各地には霊水と称されて、ガン、心臓病、糖尿病、皮膚病やアトピーなどに効果があるとされる水が色々知られている。霊水とは不思議な効能がある霊験あらたかな水（神仏の加護を受けられる水）であり、例えば、福井県敦賀市の帰り山観音霊水、石川県の白山霊水、富士吉田の不動尊霊水、長野県の龍淵寺観音霊水などがある。
【０００６】
このような霊水は、地元へ出向いてポリタンクに入れて持ち帰ることが出来るように成っている場合が多いが、遠くへ汲みに出かけることが不便である為に、一部の霊水は業者が商品として販売している。この場合も、２リットル又は５００ｃｃサイズのペットボトルに入れて発送しているが、送られた霊水を飲む際も普通の飲料水と同じようにして使われる。
すなわち、携帯しやすいサイズのペットボトルに移したり、時には該ペットボトルを袋に入れて持ち歩く場合もある。
【特許文献１】実開平５−７２７１４号に係る「ぺットボトル専用収納保冷ボックス」
【特許文献２】特開平７−２１５３７５号に係る「断熱袋」
【考案の開示】
【考案が解決しようとする課題】
【０００７】
このように、霊水と称される水が全国各地で湧水として出ていて、これをペットボトルに入れて飲むことは出来るが、神仏の加護が授けられている霊水であるという思いが湧かない。本考案が解決しようとする課題はこの問題点であり、霊水であることを認識して飲むことが出来るように、該ペットボトルにお守りを印刷又は該ペットボトルを入れる携帯用袋にお守りを刺繍などで形成又は取付けたアイデアを提供する。
ただし、本考案が対象とするのは霊水に限るものではなく、神前に奉納した日本酒やワインなども含まれる。
【課題を解決するための手段】
【０００８】
本考案に係るボトルはその表面にお守りを模った図形が印刷などで形成され、また該ボトルを入れる袋にはお守りが刺繍などで形成されたり、又は別途製作したお守りが直接取付けられている。
ここで、上記お守りの種類は特に限定しないが、一般的にはボトルに収容される霊水などと関連するお守りが適している。又は神社や寺院を表示するお守りと成っている。
例えば、観音菩薩や不動明王を表示したシールを収容しているお守りであったり、観音菩薩や不動明王又はお経を一部として組み込んで構成したお守りを用いることが出来る。
【０００９】
一方、ボトルを入れる袋の場合、その材質は織物生地又は編物生地にて製作され、特に西陣織などの高級な着物生地などが適している。
該袋は上記ボトルを入れる収容部を有し、上端部にはボトルを出し入れする為の開口部を形成しているが、具体的な形状は特に限定しない。そして、袋の内面には収容したボトルを保温することが出来るように断熱処理を施すことが出来る。
【考案の効果】
【００１０】
本考案に係る霊水や酒又はワインなどの飲み物は、そのボトル表面にお守りが形成され、又はボトルを入れた袋にお守りが取付けられている。その為に、ボトルの霊水を飲む場合、又はお酒を飲む場合、普通の水やお酒とは口にする際の想いが違い、ありがたく頂くことが出来る。
勿論、同じ霊水であれば、お守りのないボトルの場合とどれだけ効能が向上しているかの医学的な証明は出来ないが、少なくともお守りがボトルに形成されていることで、又は袋にお守りが取付けられていることで、該霊水を飲む際に心が豊かになると共に、その効果を感じ取ることが可能となる。
【図面の簡単な説明】
【００１１】
【図１】表面にお守りを形成したペットボトルを示す具体例。
【図２】ペットボトル表面に貼着する為のお守りを形成したお守りシールの具体例。
【図３】ペットボトルを収容する携帯用袋。
【図４】携帯用袋の表面に取付けるお守りを示す具体例。
【図５】携帯用袋の表面に取付けるお守りを示す他の具体例。
【図６】携帯用袋の表面に取付ける為のお守りを示す別の具体例。
【図７】携帯用袋のペットボトルを収容した状態。
【考案を実施するための形態】
【００１２】
図１は霊水を入れたペットボトルを示す実施例であり、該ペットボトル１の表面３にはお守り２を形成している。ここで、該お守り２はペットボトル１の表面３に直接印刷され、その為にペットボトル１はお守り付きのボトルとなる。お守り２は一般的に霊水と関連するものとされ、例えば福井県敦賀市の帰り山観音霊水であるならば、ペットボトル１にはお守り２として帰り山観音の図形が描かれ、また富士吉田の不動尊霊水であるならば不動尊を描くことが出来る。
【００１３】
ただし、ペットボトル１の表面３に直接お守り２となる図形を印刷する場合、ペットボトル１の形状が異なるごとに具体的な印刷手段が違い、その為に印刷設備は大掛かりとなる。したがって、シールにお守りを印刷し、このシールをペットボトル表面３に貼着する方が便利である。シールへの印刷は印刷されるお守り２の形状が異なるだけで、印刷設備に大きな違いはない。
【００１４】
図２はお守りシール４を示す実施例であり、該お守りシール４に描かれているお守り２は１本の紐５で構成され、人を模った形状とし、頭部６、両腕７，７及び２本の脚８，８は連続している。
また、結び目９は原則として「あげまき結び」が採用される。この「あげまき結び」とは、古くから用いられている飾り結びの一種であり、神前幕のたぐり上げ、御社殿の御簾を巻き上げる房の結び方など、神聖なところに使用されている。
【００１５】
このお守りシール４に描かれているお守り２は、特定の霊水に限定されることなくあらゆる霊水を入れたペットボトル１に広く使用することが出来る。
同じく、日本酒やワインを入れたボトル表面に表示され、該ペットボトル１に入れた霊水及びボトルに入っている日本酒やワインは図２に示したお守り２を表示することで、神様に加護された神聖なものであることが理解される。
【００１６】
図３はペットボトル１を収容する携帯用袋１０を示す実施例である。すなわち、ペットボトル１にお守りを直接形成する代わりに、該ペットボトル１を収容する携帯用袋１０にお守り１１を取付けることもある。
この携帯用袋１０は上記ペットボトル１を収容出来るように内部に収容部１２を有し、そして上端部には開口部１３を形成している。該開口部１３はペットボトル１を上記収容部１２への出し入れがし易いように開口部１３の縁から切り込み１４が形成されて開口部１３を拡大することが出来る。
【００１７】
開口部１３の周囲に設けた穴には紐１５が挿通されて上記切り込み１４から延びており、切り込み１４から延びる両紐１５，１５の先端にはボール１６が連結している。そして、切り込み１４から延びる両紐１５，１５はスライダー１７に設けている穴を貫通していて、その為に該ボール１６を摘んでスライダー１７を切り込み１４の側へスライドさせるならば開口部１３を締めることが出来る。
また、携帯する際には上記紐１５を握って持ち歩くことが可能であり、この際に携帯用袋１０からペットボトル１が外れ落ちることはない。
【００１８】
そして、上記携帯用袋１の表面１８にはお守り１１が取付けられている。したがって、ペットボトル１の表面３にお守り２を必要としない。該携帯用袋１０は何時までも使うことが出来、その為に上記ペットボトル１にお守り２を印刷などで形成するよりも経済的である。
ところで、該携帯用袋１０は織物生地又は編み物生地を使用して縫製され、しかも西陣織り等の比較的豪華な着物生地が適している。この携帯用袋１０にはお守り１１を縫い付けることが出来る。
【００１９】
図４は上記図２に示したお守りシール４に表示しているお守り２と同じ形状のお守り２を表している。すなわち、お守り２は１本の連続した紐５を結んで人を形作り、中央には結び目９が形成されている。同図のお守り２は人を模っていて、結び目９から上方へ頭部６が起立し、そして結び目９から左右両側へは腕７，７を延ばしている。
頭部６及び両腕７，７は長いリング状をした紐５にて形成され、また結び目９から下方へは２本の脚８，８が延びている。
【００２０】
ところで、あげまき結びにて構成される該結び目９は結び紐１９ａ，１９ｂ，１９ｃ，１９ｄにて概略正方形を成し、隣り合う結び紐１９ａと１９ｂ、結び紐１９ｂと１９ｃ、結び紐１９ｃと１９ｄ、結び紐１９ｄと１９ａはその一部が重なり合っていて、「入形」を形成している。
【００２１】
同図に示すお守り２を構成している紐５は単色であるが、該紐５として五色の糸を撚った五色紐を使用する場合もある。五色紐は五色の糸に五智如来がしみ込むとされている知恵の紐である。この五色紐にてお守り２を作るならば、該お守り本来の効果に加えて各方面の仏に守護され、心と体の健康と魔除けの作用があると信じられている。すなわち、
ａ．「青糸」は木、東と青竜を意味する。
ｂ．「赤糸」は火、南と朱雀を意味する。
ｃ．「黄糸」は土、中央と金竜を意味する。
ｄ．「白糸」は金、西と白虎を意味する。
ｅ．「黒糸」は水、北と玄武を意味する。
【００２２】
ところで、該お守り２は連続した１本の紐５を結んで構成されるが、この結び方は一般に実施例で説明した「あげまき結び」が採用される。ただし、この「あげまき結び」に限定するものではない。
図５は携帯用袋１０に取付けるお守り２０を示す他の実施例である。このお守り２０は、その基本的な形態は図４に示すお守りと同じである。ただし、該お守り２０では結び目９に飾りを取付けている。飾りとしては，例えば宝石２１を採用することも出来る。
【００２３】
ここで、上記宝石２１の種類やその形状は限定しない。また、同図では結び目９に１個の大きな宝石２１を取付けているが、小さい宝石を複数個取付けることも出来る。すなわち、結び目９の各結び紐１９ａ，１９ｂ・・・に沿わせて複数個の宝石を取付ける。該宝石の取付け方法としては一般的に接着剤にて固定すればよい。
【００２４】
図６は携帯用袋１０に取付けることが出来る別のお守り２２を示す他の実施例である。このお守り２２は紐２３の先端に小さい四角柱２４が取付けられ、該四角柱２４の各側面２５，２５・・・にはお経が刻印されている。ここで、お経の種類は色々あるが、霊水や酒を提供する寺院と関連するお経と成っている。例えば、あらゆる宗派に適用できるお経としは、般若心経を用いる場合が多い。
ここで、上記四角柱２４の上面２６に固定した止め具２７に上記紐２３が連結し、該紐２３の先端にはリング２８を取付けている。
【００２５】
図７は前記図３に示す携帯用袋１０にペットボトル１を入れた状態を示しているが、該ペットボトル１の上端口にはキャップ２９が取付けられている。そこで、該キャップ２９を開いて該ペットボトル１に入っている零水を飲むことが出来る。
同じく、日本酒やワインも携帯用袋１０に収容して持ち歩くことが出来る。この日本酒やワインは一旦神前に奉納されたものであり、神酒として頂くことが出来る。その為にも、該携帯用袋１０には奉納された神社と関連するお守りが取付けられる。
【符号の説明】
【００２６】
１   ペットボトル
２   お守り
３   表面
４   お守りシール
５   紐
６   頭部
７   腕
８   脚
９   結び目
10   携帯用袋
11  お守り
12  収容部
13  開口部
14  切り込み
15  紐
16  ボール
17  スライダー
18  表面
19  結び紐
20  お守り
21  宝石
22  お守り
23  紐
24  四角柱
25  側面
26  上面
27  止め具
28  リング
29  キャップ
【図１】
0003206280.tif 000003
【図２】
0003206280.tif 000004
【図３】
0003206280.tif 000005
【図４】
0003206280.tif 000006
【図５】
0003206280.tif 000007
【図６】
0003206280.tif 000008
【図７】
0003206280.tif 000009